(57)【特許請求の範囲】
【請求項１】
筐体に回動且つスライド自在に支持され、前記筐体の一面を覆って前記筐体に係止されたロック位置からスライド操作されたときに前記筐体との係止が解除され、このロック解除位置を経て前記一面を露呈させる開き位置に回動する蓋と、
前記筐体に設けられ、前記蓋の回動軸を前記筐体に対しスライド移動自在に支持する支持部材と、
前記蓋の回動軸が挿通されるコイル部を有し、当該蓋の回動軸によって支持されるとともに、一端が筐体のバネ受け部に圧着し他端が前記蓋の内面に圧着して、前記ロック解除位置に移動した前記蓋を前記開き位置に向けて付勢するトーションバネと、
前記バネ受け部に設けられ、前記蓋が前記ロック位置から前記ロック解除位置にスライド操作されたときに前記トーションバネの前記一端が弾性的に係合して前記蓋のスライド操作に抵抗を与え、この抵抗に打ち勝つスライド操作が行われたときに前記一端との係合を解除して前記蓋の前記ロック解除位置への移動を許容するリブであって、前記蓋が前記ロック位置にあるときに前記一端が当接する第１当接面と、前記蓋が前記ロック解除位置にあるときに前記第一端が当接する第２当接面とを有し、前記第１当接面及び前記第２当接面が、前記バネ受け部から遠ざかるに従って互いに近づくように傾斜しているリブと、
前記トーションバネの前記一端が前記リブの前記第１当接面に当接する位置にあるか否かを検出することで、前記蓋の開閉を検出する開閉検出手段と、
を備えることを特徴とする蓋の開閉機構。
【請求項２】
前記蓋が前記ロック位置及び前記ロック解除位置の一方から他方にスライド移動されたときに、前記第１当接面及び前記第２当接面の前記バネ受け部からの高さと、及び前記バネ受け部に対する傾斜角度とに応じたクリック感及びクリック音が生じることを特徴とする請求項１記載の蓋の開閉機構。
【請求項３】
前記トーションバネは、一対の前記コイル部が凸状に屈曲または湾曲された前記一端を介して接続されているダブルトーションバネ構造を有することを特徴とする請求項１または２記載の蓋の開閉機構。
【請求項４】
前記蓋が前記ロック位置にあるときに、前記リブの前記第１当接面に当接する前記トーションバネの前記一端の当接部が凹状に屈曲または湾曲されていることを特徴とする請求項１ないし３いずれか１項記載の蓋の開閉機構。
【請求項５】
前記筐体の前記一面には、前記筐体内に形成された収納室に連通する開口が形成され、
前記開口は、前記蓋が前記ロック位置及びロック解除位置にあるときはこの蓋によって塞がれ、前記蓋が前記開き位置にあるときは露呈されることを特徴とする請求項１ないし４いずれか１項記載の蓋の開閉機構。
【発明の詳細な説明】
【技術分野】
【０００１】
本発明は、筐体に回動及びスライド自在に支持されている蓋の開閉機構に関するものである。
【背景技術】
【０００２】
デジタルカメラなどの屋外使用を前提とした小型の電子機器では、電源としてバッテリパックが用いられるのが通常である。そのため、電子機器の筐体内には、バッテリパックが装着されるバッテリ室が設けられている。バッテリパックは、筐体の外面に形成されたバッテリ挿入口よりバッテリ室内に挿入される。このバッテリ挿入口は、筐体に回動自在に取り付けられた装填蓋により開閉される。装填蓋は、誤って開かれるのを防止するため、バッテリ挿入口を覆う閉じ位置にてロックされているのが通常である。そして、バッテリ着脱時にはロックを解除して、装填蓋をバッテリ挿入口が開放される開き位置に回動させる。
【０００３】
近年、バッテリの着脱を容易に行えるように、装填蓋の裏面にバネ片が取り付けられた電子機器が普及している（特許文献１参照）。このバネ片は、装填蓋が半開き位置にあるときにバッテリ挿入口の縁に接触するような形状に形成されている。従って、装填蓋が閉じ位置に回動されると、バネ片はバッテリ挿入口の縁に当接した状態で弾性変形する。そして、装填蓋が閉じ位置にてロックされると、バネ片は弾性変形された状態で保持される。装填蓋のロックが解除されると、蓋はバネ片の弾性復元力により自動的に半開き位置まで回動される。この状態から装填蓋をさらに開き位置まで回動させることでバッテリ挿入口が開放される。このため、従来のように装填蓋を爪で引っ掛けて回動させる必要が無くなるので、バッテリの着脱を容易に行うことができる。
【特許文献１】特開平１０−９２４０３号公報（第３頁、第３図参照）
【発明の開示】
【発明が解決しようとする課題】
【０００４】
ところで、前記特許文献１記載の電子機器では、ロック解除後に装填蓋を半開き位置までは自動的に回動させることができるが、バッテリ挿入口を完全に開放させるためには、ユーザが手で装填蓋を開き位置まで回動させなければならない。このため、バネ片の代わりに装填蓋を開き位置まで付勢する付勢機構を設けてもよいが、この場合には電子機器の部品数が増えてしまう。その結果、組立工数が増えるとともに、製造コストが高くなってしまう。
【０００５】
本発明は上記問題を解決するためのものであり、部品数や組立工数を削減しつつ、装填蓋等の蓋をロック解除後に開き位置まで回動させることが可能な蓋の開閉機構を提供することを目的とする。
【課題を解決するための手段】
【０００６】
本発明は、筐体に回動且つスライド自在に支持され、前記筐体の一面を覆って前記筐体に係止されたロック位置からスライド操作されたときに前記筐体との係止が解除され、このロック解除位置を経て前記一面を露呈させる開き位置に回動する蓋と、前記筐体に設けられ、前記蓋の回動軸を前記筐体に対しスライド移動自在に支持する支持部材と、前記蓋の回動軸が挿通されるコイル部を有し、当該蓋の回動軸によって支持されるとともに、一端が筐体のバネ受け部に圧着し他端が前記蓋の内面に圧着して、前記ロック解除位置に移動した前記蓋を前記開き位置に向けて付勢するトーションバネと、前記バネ受け部に設けられ、前記蓋が前記ロック位置から前記ロック解除位置にスライド操作されたときに前記トーションバネの前記一端が弾性的に係合して前記蓋のスライド操作に抵抗を与え、この抵抗に打ち勝つスライド操作が行われたときに前記一端との係合を解除して前記蓋の前記ロック解除位置への移動を許容するリブであって、前記蓋が前記ロック位置にあるときに前記一端が当接する第１当接面と、前記蓋が前記ロック解除位置にあるときに前記第一端が当接する第２当接面とを有し、前記第１当接面及び前記第２当接面が、前記バネ受け部から遠ざかるに従って互いに近づくように傾斜しているリブと、前記トーションバネの前記一端が前記リブの前記第１当接面に当接する位置にあるか否かを検出することで、前記蓋の開閉を検出する開閉検出手段と、を備えることを特徴とする。
【０００８】
前記蓋が前記ロック位置及び前記ロック解除位置の一方から他方にスライド移動されたときに、前記第１当接面及び前記第２当接面の前記バネ受け部からの高さと、及び前記バネ受け部に対する傾斜角度とに応じたクリック感及びクリック音が生じることが好ましい。
【０００９】
前記トーションバネは、一対の前記コイル部が凸状に屈曲または湾曲された前記一端を介して接続されているダブルトーションバネ構造を有することが好ましい。また、前記蓋が前記ロック位置にあるときに、前記リブの前記第１当接面に当接する前記トーションバネの前記一端の当接部が凹状に屈曲または湾曲されていることが好ましい。
【００１１】
前記筐体の前記一面には、前記筐体内に形成された収納室に連通する開口が形成され、前記開口は、前記蓋が前記ロック位置及びロック解除位置にあるときはこの蓋によって塞がれ、前記蓋が前記開き位置にあるときは開放されることが好ましい。
【発明の効果】
【００１２】
本発明の蓋の開閉機構は、筐体に回動自在及び、前記筐体の一面を覆って前記筐体に係止されたロック位置とこの係止が解除されるロック解除位置との間でスライド自在に支持されている蓋を、前記一面を露呈させる開き位置に向けて付勢するバネ部材と、前記蓋が前記ロック位置にあるときに前記バネ部材が弾性的に係合して蓋のスライド操作に抵抗を与えるクリック係止手段と有するので、前記ロック位置にある前記蓋のクリック係止に前記バネ部材を兼用することができる。その結果、部品数及び組立工数を削減しつつ、ロック解除後に前記蓋を開き位置まで回動させることができる。これにより、ユーザが前記蓋を開き位置まで回動させる手間を省くことができる。また、筐体に回動及びスライド自在に支持されている蓋を有する各種の装置、機械、及び機構の製造コストを低く抑えることができる。
【発明を実施するための最良の形態】
【００１３】
図１は、本発明の電子機器であるデジタルカメラ１０の正面斜視図を示したものであり、図２は、デジタルカメラ１０の背面斜視図を示したものである。このデジタルカメラ１０の筐体１１は、フロントカバー１１ａとリアカバー１１ｂとから構成されている。筐体１１の前面には、撮影レンズ１４が組み込まれたレンズ鏡筒１５と、ファインダ１６を構成する対物側ファインダ窓１７と、被写体に向けてストロボ光を照射するストロボ発光部１８と、シャッタレリーズ操作に用いられるシャッタボタン１９とが設けられている。レンズ鏡筒１５は、デジタルカメラ１０が電源オフ状態にある時には筐体１１内に収納され、電源オンとともに筐体１１の前面から突出する。
【００１４】
筐体１１の背面には、ファインダ１６を構成する接眼側ファインダ窓２４と、複数の操作ボタンからなる操作部２５と、ビューファインダとして機能する画像表示用ＬＣＤ２６とが設けられている。また、筐体１１内には、各種撮影機構が組み込まれたカメラ本体（図示せず）の他に収納ユニット２７が組み込まれている。この収納ユニット２７には、デジタルカメラ１０の各部に電力を供給するバッテリパック２８と、画像データが記録されるメモリカード２９（図３参照）とが装着される。
【００１５】
図３及び図４は、収納ユニット２７の外観斜視図を示したものであり、筐体１１をその底面側から見た図である。収納ユニット２７は、挿入口形成面３２と、バッテリ室３３ａと、カード室３３ｂと、バッテリ挿入口３４ａと、カード挿入口３４ｂと、装填蓋３５とから構成されている。また、この収納ユニット２７は、本発明のロック装置を構成する蓋取付軸３８と、軸支持部材３９と、係止爪４０と、係止枠４１と、トーションバネ４２と、ロック用リブ４３と、検出スイッチ４４とを備えている。
【００１６】
挿入口形成面３２は、筐体１１の底面のコーナー部を矩形状に切り欠いて形成されている。なお、以下の説明では、挿入口形成面３２の筐体側面側の端部を第１端部３２ａと定義し、この第１端部３２ａとは反対側の端部を第２端部３２ｂと定義して説明を行う。この挿入口形成面３２の両端部３２ａ，３２ｂの間には、バッテリ室３３ａに連通するバッテリ挿入口３４ａ、及びカード室３３ｂに連通するカード挿入口３４ｂが形成されている。バッテリパック２８は、バッテリ挿入口３４ａよりバッテリ室３３ａ内に装着される。また、メモリカード２９は、カード挿入口３４ｂよりカード室３３ｂ内に装着される。これら両挿入口３４ａ，３６は、装填蓋３５によって開閉される。
【００１７】
装填蓋３５は、蓋取付軸３８を介して筐体１１に取り付けられている。この装填蓋３５の挿入口形成面３２に対向する内面３５ａには側壁部４８が形成されている。側壁部４８は、装填蓋３５の両側縁部に沿うように形成された第１壁部材４８ａと、蓋３５の筐体側面側の端部に沿うように形成された第２壁部材４８ｂとから構成される。これら第１壁部材４８ａには、蓋取付軸３８を取り付けるための取付孔（図示せず）が形成されている。また、第２壁部材４８ｂの内面には、詳しくは後述する係止爪４０が設けられている。
【００１８】
蓋取付軸３８は、装填蓋３５の幅方向の長さよりも長く形成されている。この蓋取付軸３８は、筐体１１と一体に形成された一対の軸支持部材３９により回動自在、及びスライド移動自在に支持される。
【００１９】
軸支持部材３９は、挿入口形成面３２の第２端部３２ｂ上に設けられている。両軸支持部材３９は、挿入口形成面３２の図中長手方向（以下、スライド方向という）に延びた長孔３９ａを有している。そして、蓋取付軸３８の両端部が両長孔３９ａのそれぞれに嵌合される。これにより、蓋取付軸３８が両軸支持部材３９に対して回動自在に支持されるとともに、上述のスライド方向にスライド移動自在に支持される。
【００２０】
装填蓋３５は、誤って開かれないように係止（ロック）されているのが通常である。この装填蓋３５の係止は、上述の係止爪４０と、この係止爪４０に係合する係止枠４１とにより行われる。係止爪４０は、上述したように装填蓋３５の第２壁部材４８ｂの内面に設けられている。係止枠４１は、挿入口形成面３２の第１端部３２ａ上に設けられている。この係止枠４１は、上述のスライド方向に平行な係合孔４１ａを有している。そして、係合孔４１ａは、装填蓋３５の係止爪４０が嵌合する位置に形成されている。このため、装填蓋３５をスライド移動させることで、係止爪４０と係止枠４１との係合及び係合解除を切り替えることができる。
【００２１】
装填蓋３５が、挿入口形成面３２を覆って筐体１１に係止されたロック位置（図４及び図６参照）にあるときは、係止爪４０と係止枠４１とが係合する。これにより、装填蓋３５は開かないようにロックされる。なお、本実施形態では、ユーザが装填蓋３５のスライド操作を行い易いように、この装填蓋３５の外面に断面凹凸形状のスライド操作部４９（図４参照）が形成されている。
【００２２】
装填蓋３５が、係止爪４０と係止枠４１との係合が解除されるロック解除位置（図７参照）に挿入口形成面３２に沿ってスライド移動されると、この装填蓋３５は回動可能な状態になる。これにより、装填蓋３５を両挿入口３４ａ，３４ｂが開放される開き位置（図３参照）に回動させることができる。
【００２３】
トーションバネ４２は、装填蓋３５を開き位置に向けて付勢する。このトーションバネ４２は、図３及び図５に示すように所謂ダブルトーションバネ構造を有しており、一対のコイル部５０と、アーム部５１とから構成される。
【００２４】
一対のコイル部５０には、装填蓋３５の蓋取付軸３８が挿通されている。アーム部５１は、両コイル部５０から延出された第１アーム５２と第２アーム５３とから構成される。本発明のトーションバネの一端に相当する第１アーム５２は、両コイル部５０の間で略コの字型に屈曲形成されており、両コイル部５０を接続している。この第１アーム５２は、蓋取付軸３８に対して平行で、且つ挿入口形成面３２の第２端部３２ｂに圧着される当接部５２ａを有している。従って、本実施形態では第２端部３２ｂが本発明のバネ受け部に相当する。また、本発明のトーションバネの他端に相当する第２アーム５３は、両コイル部５０の外側から同方向に延出されており、装填蓋３５の内面３５ａに当接する。なお、図５中の符号Ｌ１は、両コイル部５０の中心から当接部５２ａまでの寸法を表している。
【００２５】
トーションバネ４２は、ロック位置及びロック解除位置にある装填蓋３５と、筐体１１の挿入口形成面３２（第２端部３２ｂ）との間で弾性変形する（図６参照）。そして、装填蓋３５がロック位置からロック解除位置にスライド移動されると、トーションバネ４２は、その弾性復元力により装填蓋３５を開方向に付勢してこれを開き位置に保持する（図３及び図７参照）。つまり、装填蓋３５をロック解除位置にスライド移動させるだけで、この装填蓋３５を自動的に開き位置まで回動させることができる。この際に、本実施形態では装填蓋３５が誤って開かれるのを防止するため、トーションバネ４２と後述するロック用リブ４３とを用いて装填蓋３５をロック位置にクリック係止する。
【００２６】
ロック用リブ４３は、本発明のクリック係止に相当するものであり、挿入口形成面３２の第２端部３２ｂ上に設けられている（図３参照）。このロック用リブ４３に、装填蓋３５と共にスライド移動されるトーションバネ４２が弾性的に係合することで、装填蓋３５がロック位置にクリック係止される。
【００２７】
図６〜図８に示すように、ロック用リブ４３は、第１〜第３傾斜面５５〜５７を有している。本実施形態では、第３傾斜面５７の高さＨ１を第１傾斜面５５の高さＨ２よりも高く形成している。このため、第２傾斜面５６及び第３傾斜面５７のなすコーナー部５９がロック用リブ４３の頂部となる。なお、符号６０は、第１傾斜面５５及び第２傾斜面５６のなすコーナー部６０であり、符号Ｗは、ロック用リブ４３の幅の大きさである。
【００２８】
第１傾斜面５５は、本発明の第１当接面に相当するものである。この傾斜面５５には、装填蓋３５がロック位置にあるときに第１アーム５２の当接部５２ａが当接する（図６参照）。第２当接面５６は、ロック用リブ４３の上面を構成している。第３傾斜面５７は、本発明の第２当接面に相当するものである。この傾斜面５７には、装填蓋３５がロック解除位置にあるときに第１アーム５２の当接部５２ａが当接する（図７参照）。
【００２９】
この際に、第１アーム５２の当接部５２ａの位置は、トーションバネ４２の寸法Ｌ１（図５参照）、コイル部５０の径、蓋取付軸３８の径などのばらつきによりスライド方向にずれるおそれがある。そこで、本実施形態ではロック用リブ４３の両傾斜面５５，５７を、挿入口形成面３２（第２端部３２ｂ）から遠ざかるのに従って互いに近づくように傾斜させている。このため、当接部５２ａの位置がずれたとしても、この当接部５２ａを両傾斜面５５，５７内のいずれかの部分に当接させることができる。これにより、装填蓋３５がロック位置にあるときは、当接部５２ａが第１傾斜面５５に当接することで装填蓋３５のガタつきが防止される。また、装填蓋３５がロック解除位置を経て開き位置に回動されたときも、当接部５２ａが第３傾斜面５７に当接することで装填蓋３５のガタつきが防止される。
【００３０】
装填蓋３５がロック位置からロック解除位置に向けてスライド移動されると、蓋取付軸３８を介してトーションバネ４２も共にスライド移動される。トーションバネ４２の第１アーム５２がロック用リブ４３に弾性的に係合しているので、装填蓋３５のスライド操作に抵抗感が与えられる。そして、この抵抗感に打ち勝つスライド操作が行われると両者の係合が解除される。これにより、トーションバネ４２の第１アーム５２が弾性変形しつつ、その当接部５２ａがロック用リブ４３の第１及び第２傾斜面５５、５６に沿って移動される。
【００３１】
装填蓋３５のスライド移動が完了する前に、当接部５２ａはコーナー部５９を乗り越える。コーナー部５９を乗り越えると、当接部５２ａは、第１アーム５２の弾性復元力により第３傾斜面５７に沿って落下する。このときに、第３傾斜面５７の高さＨ１と、及び傾斜面５７の挿入口形成面３２（第２端部３２ｂ）に対する傾き角度とに応じたクリック感及びクリック音が生じる。
【００３２】
この際に、ユーザにクリック感やクリック音を確実に伝えるためには、第３傾斜面５７の高さＨ１は、当接部５２ａの移動に支障をきたさない範囲で大きく形成されていることが好ましい。また、第３傾斜面５７の傾き角度を９０°に近い角度で形成することで、より確実にクリック感やクリック音を伝えることができる。そして、装填蓋３５のロック解除位置へのスライド移動が完了すると、当接部５２ａは第３傾斜面５７の挿入口形成面３２側の端部に当接する（図７参照）。
【００３３】
また、逆に装填蓋３５がロック解除位置からロック位置に向けてスライド移動される場合も同様に、装填蓋３５のスライド操作に抵抗感が与えられる。そして、この抵抗感に打ち勝つスライド操作が行われると、第１アーム５２の当接部５２ａがロック用リブ４３の第３及び第２傾斜面５７、５６に沿って移動される。この当接部５２ａは、コーナー部６０を乗り越えた後、第１アーム５２の弾性復元力により第１傾斜面５５に沿って落下する。この場合も同様に、第１傾斜面５７の高さＨ４、及びその傾き角度に応じたクリック感及びクリック音が生じる。そして、装填蓋３５のロック位置へのスライド移動が完了すると、当接部５２ａは第１傾斜面５５の挿入口形成面３２側の端部に当接する（図６参照）。
【００３４】
上述のように、装填蓋３５がロック位置にあるときは、第１アーム５２の当接部５２ａがロック用リブ４３の第１傾斜面５５に当接している。このため、本実施形態では、当接部５２ａが第１傾斜面５５に当接する位置にあるか否かを検出スイッチ４４で検出することで、装填蓋３５の開閉を検出する。この検出スイッチ４４は、本発明の開閉検出スイッチに相当するものであり、スイッチ本体４４ａと略円筒形状の押しボタン４４ｂとから構成される押しボタン式のスイッチである。
【００３５】
スイッチ本体４４ａは、筐体１１内に設けられている。また、押しボタン４４ｂは、挿入口形成面３２に形成された挿通孔６２（図８参照）より突出している。この挿通孔６２は、第１傾斜面５５に近接する位置に形成されている。挿通孔６２は、押しボタン４４ｂを挿通可能な程度の大きさに形成されていればよい。従って、挿通孔６２の大きさを小さくすることができる。このため、収納ユニット２７の外観に及ぼす影響を最小限に抑えることができる。
【００３６】
装填蓋３５がロック位置にあるときは、第１アーム５２の当接部５２ａにより押しボタン４４ｂが押圧される。これにより、スイッチ本体４４ａがＯＮ状態となる（図６参照）。そして、装填蓋３５がロック解除位置にスライド移動されると、当接部５２ａによる押しボタン４４ｂの押圧が解除される。これにより、スイッチ本体４４ａがＯＦＦ状態となる（図７参照）。このスイッチ本体４４ａは、カメラ１０の各部を制御するコントローラ（図示せず）に接続されている。従って、コントローラ（図示せず）は、スイッチ本体４４ａから送信される検出信号に基づき、装填蓋３５の開閉を検出することができる。
【００３７】
以上のように、本実施形態では、蓋取付軸３８に取り付けられたトーションバネ４２にロック用リブ４３を係合させることで、装填蓋３５をロック位置にクリック係止することができる。また、装填蓋３５をロック解除位置にスライド移動させることで、トーションバネ４２の弾性復元力により装填蓋３５を開き位置に自動的に回動させることができる。
【００３８】
次に、本実施形態のデジタルカメラ１０の収納ユニット２７にバッテリパック２８やメモリカード２９を装着する手順について説明を行う。ユーザは、ロック位置にクリック係止されている装填蓋３５のスライド操作部４９を操作して、この装填蓋３５をロック解除位置に向けてスライド移動させる。このスライド操作時に生じる抵抗感に打ち勝つスライド操作が行われると、トーションバネ４２の第１アーム５２が弾性変形しつつ、その当接部５２ａがロック用リブ４３の第１及び第２傾斜面５５、５６に沿って移動される。また、当接部５２ａによる押しボタン４４ａの押圧が解除されて、検出スイッチ４４より出力される検出信号がＯＮからＯＦＦに切り替る。
【００３９】
装填蓋３５が引き続きスライド移動されると、当接部５２ａは、コーナー部５９を乗り越えた後、第１アーム５２の弾性復元力により第３傾斜面５７に沿って落下する。この際に、クリック感及びクリック音が生じるので、ユーザは装填蓋３５の係止が解除されたことを確認することができる。そして、装填蓋３５のロック解除位置へのスライド移動が完了すると、当接部５２ａは第３傾斜面５７の挿入口形成面３２側の端部に当接する（図７参照）。
【００４０】
装填蓋３５がロック解除位置にスライド移動されると、係止爪４０と係止枠４１との係合が解除される。両者の係合が解除されると、装填蓋３５は、トーションバネ４２の弾性復元力により自動的に開き位置に回動されて、この位置で保持される。この際に、第１アーム５２の当接部５２ａが第３傾斜面５７に当接することで、装填蓋３５のガタつきが防止される。ユーザは、装填蓋３５が開き位置に回動されたら、バッテリ挿入口３４ａからバッテリ室３３ａ内にバッテリパック２８を装着する。また、カード挿入口３４ｂからカード室３３ｂ内にメモリカード２９を装着する。
【００４１】
バッテリパック２８及びメモリカード２９が装着されたら、ユーザは、トーションバネ４２の付勢力に抗して装填蓋３５をロック解除位置に回動させる。次いで、ユーザは、装填蓋３５をロック解除位置からロック位置に向けてスライド移動させる。ロック解除時と同様に、スライド操作時に生じる抵抗感に打ち勝つスライド操作が行われると、トーションバネ４２の第１アーム５２が弾性変形しつつ、その当接部５２ａがロック用リブ４３の第３及び第２傾斜面５７、５６に沿って移動される。
【００４２】
装填蓋３５が引き続きスライド移動されると、当接部５２ａは、コーナー部６０を乗り越えた後、第１アーム５２の弾性復元力により第１傾斜面５５に沿って落下する。この際にもクリック感及びクリック音が生じるので、ユーザは装填蓋３５が係止されたことを確認することができる。また、当接部５２ａにより押しボタン４４ａが押圧されて、検出スイッチ４４より出力される検出信号がＯＦＦからＯＮに切り替る。
【００４３】
装填蓋３５がロック位置にスライド移動されると、係止爪４０と係止枠４１とが係合して、装填蓋３５が開かないように係止される。また、このときに、ロック用リブ４３がトーションバネ４２（第１アーム５２）の当接部５２ａに当接することで、トーションバネ４２がロック用リブ４３に弾性的に係合する。これにより、装填蓋３５がロック位置にクリック係止される。
【００４４】
このように本実施形態では、装填蓋３５のクリック係止にトーションバネ４２を兼用して用いることができるので、部品数及び組立工数を削減しつつ、ロック解除後に装填蓋３５を開き位置まで回動させることができる。その結果、ユーザが手で装填蓋３５を開き位置まで回動させる手間を省くことができる。また、デジタルカメラ１０の製造コストを低く抑えることができる。
【００４５】
なお、上記実施形態では、装填蓋３５のスライド操作時にクリック感やクリック音をユーザに確実に伝えるために、ロック用リブ４３の第３傾斜面５７の高さＨ１を当接部５２ａの移動に支障をきたさない範囲で大きく形成するようにしているが、本発明はこれに限定されるものではない（図８参照）。例えば、図９に示したロック用リブ６５のように、スライド操作時のクリック感やクリック音を抑えるようにしてもよい。
【００４６】
ロック用リブ６５は、幅方向の長さが上述のロック用リブ４３と同じ長さＷに形成されているが、第１及び第３傾斜面６６，６８の高さがロック用リブ４３よりも低く形成されている。具体的には、第３傾斜面６８の高さをＨ３とし、第１傾斜面６６の高さをＨ４としたときに、Ｈ３＜Ｈ１及びＨ４＜Ｈ２を満たすように両傾斜面６６，６８の高さを調整することでクリック感やクリック音が抑えられる。この際に、必要に応じて両傾斜面６６，６８の傾き角度も小さくすることで、クリック感やクリック音をより抑えることができる。
【００４７】
また、上記実施形態では、装填蓋３５の開閉を検出するために、第１アーム５２の当接部５２ａがロック用リブ４３の第１傾斜面５５に当接しているか否かを押しボタン式の検出スイッチ４４で検出するようにしているが、本発明はこれに限定されるものではない。当接部５２ａが第１傾斜面５５に当接しているか否かを検出可能であれば、各種検出スイッチや検出センサを用いてもよい。
【００４８】
なお、上記実施形態では、トーションバネ４２の第１アーム５２が両コイル部４２間で略コの字型に屈曲されているが、本発明はこれに限定されるものではなく、凸状に屈曲または湾曲されていればその形状は特に限定されるものではない。
【００４９】
また、上記実施形態では、トーションバネ４２の第１アーム５２の当接部５２が蓋取付軸３８に対して平行に形成されているが、本発明はこれに限定されるものではない。例えば、デジタルカメラ１０の小型化により挿入口形成面３２の第２端部３２ｂの面積が十分に確保できない場合がある。この際に、小スペース内でも取り付けられるようにトーションバネ４２の第１アーム５２の寸法Ｌ１（図５参照）を短くすると、第１アーム５２がロック用リブ４３を乗り越える際に弾性変形する弾性変形量が大きくなってしまう。その結果、装填蓋３５のスライド操作に要する力が大きくなり過ぎてしまうおそれがある。また、装填蓋３５のスライド操作を繰り返した時に、第１アーム５２にヘタリが生じてしまうおそれがある。
【００５０】
そこで、例えば図１０に示したトーションバネ７０のように、第１アーム７１の当接部７１ａを凹状に屈曲するようにしてもよい。この場合には、一対のコイル部５０から当接部７１ａの両端部までの間の寸法をＬ２（＜Ｌ１）とし、当接部７１ａの両端部から中央部までの寸法をＬ３としたときに、両コイル部５０からロック用リブ４３に当接する当接部７１ａの中央部までの間の寸法をＬ２＋Ｌ３だけ確保することができる。これにより、第２端部３２ｂの面積が小さい場合でも、装填蓋３５のスライド操作に要する力を調整することができる。このような形状のトーションバネ７０は、製造に金型変更を必要とする板バネ等とは異なり、容易に製造することができる。従って、コスト及び納期の観点からもトーションバネを用いることが好ましい。また、図示は省略するが、第１アーム７１の当接部７１ａを凹状に屈曲させる代わりに、湾曲させるようにしてもよい。
【００５１】
なお、上記実施形態では、トーションバネ４２としてダブルトーションバネ構造を有するものを用いているが、本発明はこれに限定されるものではなく、１つのコイル部と、このコイル部から延出された第１及び第２アームとからなるトーションバネを用いるようにしてもよい。この場合には、第１アームの先端部を屈曲または湾曲させて当接部を形成すればよい。
【００５２】
また、上記実施形態では、装填蓋３５が開かないように係止するために、装填蓋３５に係止爪４０を設けるとともに、筐体１１に係止枠４１を設けるようにしているが、本発明はこれに限定されるものではない。装填蓋３５のスライド操作により係合及び係合解除を切替可能であれば、各種形状の係止部を設けてもよい。
【００５３】
なお、上記実施形態では、トーションバネ４２の第２アームを装填蓋３５の内面３５ａに当接させるようにしているが、本発明はこれに限定されるものではなく、装填蓋３５を開方向に付勢可能であれば第２アーム３５を装填蓋３５に固定させてもよい。
【００５４】
また、上記実施形態では、装填蓋３５が筐体正面（背面）に対して垂直な蓋取付軸３８を介して筐体１１に回動自在に取り付けられているが、本発明はこれに限定されるものでなく、装填蓋３５が筐体側面に垂直な蓋取付軸を介して筐体に取り付けられていてもよい。
【００５５】
なお、上記実施形態では、ロック用リブ４３は第１〜第３傾斜面５５〜５７を有する断面四角形状に形成されているが、本発明はこれに限定されるものでない。例えば、ロック用リブ４３が断面三角形状、或いは断面Ｎ（Ｎ≧５）角形状に形成されていてもよい。また、第１〜第３傾斜面５５〜５７が平面状ではなく曲面状に形成されていてもよい。
【００５６】
また、上記実施形態では、蓋取付軸３８を介して装填蓋３５が筐体１１の軸支持部材３９に回動及びスライド移動自在に取り付けられているが、本発明はこれに限定されるものではない。例えば、図１１及び図１２に示す収納ユニット７５のように、板状の弾性体を介して装填蓋７６を筐体１１に回動及びスライド移動自在に取り付けるようにしてもよい。以下、具体的に収納ユニット７５について説明を行う。なお、上述の収納ユニット２７を構成する部材と同じものついては、同一符号を付してその説明は省略する。
【００５７】
収納ユニット７５は、バッテリ室３３ａと、カード室３３ｂと、バッテリ挿入口３４ａと、カード挿入口３４ｂと、装填蓋７６と、挿入口形成面７８と、切欠き面７９とから構成されている。そして、この収納ユニット７５も本発明のロック装置を構成する第１係止爪８１と、係止穴８２と、板バネ８３と、ガイドリブ８４とを備えている。
【００５８】
装填蓋７６の内面７６ａには側壁部８６が形成されている。側壁部８６は、内面７６ａの筐体正面側の端部に設けられた第１壁部材８６ａと、筐体側面側の端部に設けられた第２壁部材８６ｂとから構成される。この第１壁部材８６ａの内面側には第１係止爪８１が形成されている。また、装填蓋７６の外面にはスライド操作部４９（図１２参照）が形成されている。
【００５９】
挿入口形成面７８は、バッテリ挿入口３４ａ及びカード挿入口３４ｂが形成されている挿入口形成部８７と、板バネ８３が取り付けられるバネ取付部８８とから構成される。また、切欠き面７９は、挿入口形成面７８と筐体正面とがなすコーナー部を切り欠いて形成されており、挿入口形成面７８と直交している。この切欠き面７９には、第１係止爪８１が係合（嵌合）する係止穴８２が形成されている。
【００６０】
板バネ８３は、本発明の板状の弾性体に相当するものであり、金属材料や樹脂材料等の各種材料から形成されたものを用いることができる。この板バネ８３は、挿入口形成面７８のバネ取付部８８に取り付けられる軸形成部９０と、装填蓋７６の内面７６ａに重ね合わされる蓋支持部９１とが一体に形成されている。軸形成部８７は、筐体側面に対して垂直な方向に延び、挿入口形成面７８のバネ取付部８８に当接している。また、この軸形成部９０の両端部９０ａは垂直に屈曲されており、バネ取付部８８を形成する切欠き面８８ａに当接している。
【００６１】
図１３に示すように、軸形成部９０の両端部９０ａには絞り加工により取付軸９３が形成されている。そして、本実施形態では、両取付軸９３がフロントカバー１１ａ及びリアカバー１１ｂの間に挟持されることで、板バネ８３が挿入口形成面７８のバネ取付部８８に取り付けられる。なお、板バネ８３の取り付けを確実に行うために、その軸形成部９０をバネ取付部８８にネジ止め等の方法で固定するようにしてもよい。
【００６２】
板バネ８３の蓋支持部９１は、その両側端部が装填蓋７６の内面７６ａに設けられた一対のガイドリブ８４に支持されている（図１１参照）。このガイドリブ８４は、断面形状が略Ｌ字型に形成されている。これにより、装填蓋７６を挿入口形成面７８に沿ってスライド移動させることできる。このように、装填蓋７６をスライド移動させることで、装填蓋７６の第１係止爪８１と、筐体１１の係合穴８２とを係合及び係合解除させることができる。
【００６３】
図１４及び図１５に示すように、装填蓋７６が、挿入口形成面７８を覆って筐体１１に係止されたロック位置（図１４参照）にあるときは、第１係止爪８１と係合穴８２とが係合する。これにより、装填蓋７６は開かないようにロックされる。この際に、板バネ８３は、その軸形成部９０と蓋支持部９１との間が略Ｕ字型に屈曲されてチャージされる。
【００６４】
装填蓋７６を第１係止爪８１及び係合穴８２の係合が解除されるロック解除位置（図１５参照）までスライド移動させると、略Ｕ字型に屈曲されている板バネ８３の弾性復元力により装填蓋７６が開き位置に回動される。そして、バッテリパック２８やメモリカード２９の着脱が完了したら、装填蓋７６を板バネ８３の付勢力に抗してロック解除位置に回動させる。次いで、装填蓋７６ロック位置までスライド移動させることで、両者により装填蓋７６を開かないように係止することができる。
【００６５】
装填蓋７６をロック位置にクリック係止するために、板バネ８３の蓋支持部９１は、この支持部９１と一体に形成された第２係止爪９７を有している。第２係止爪９７は、その先端部が装填蓋７６の内面７６ａに向かって凸となるように断面三角形状に形成されている。また、装填蓋７６の内面７６ａには、本発明の凹み部に相当する第１凹溝１００と、第２凹溝１０１とが形成されている。これら凹溝１００，１０１には、板バネ８３の第２係止爪９７が弾性的に係合する。これにより、装填蓋７６がロック位置とロック解除位置とにクリック係止される。
【００６６】
第１及び第２凹溝１００，１０１は、筐体側面に対して垂直な方向に延びるように形成されている。そして、第１凹溝１００は、装填蓋７６がロック位置にあるときにその第２係止爪９７に係合する位置に形成されている。また、第２凹溝１０１は、装填蓋７６がロック解除位置にあるときにその第２係止爪９７が係合する位置に形成されている。なお、第１及び第２凹溝１００，１０１の代わりに、第２係止爪９７が係合可能な係合穴等の各種凹み部を形成してもよい。
【００６７】
装填蓋７６がロック位置からロック解除位置に向けてスライド操作されると、第２係止爪９７と第１凹溝１００とが弾性的に係合しているので、この装填蓋７６のスライド操作に抵抗感が与えられる。そして、この抵抗感に打ち勝つスライド操作が行われると両者の係合が解除されて、装填蓋７６がロック解除位置に向けて移動される。この移動の間、第２係止爪９７は、両凹溝１００，１０１間の内面７６ａに当接して弾性変形する。
【００６８】
装填蓋７６のロック解除位置へのスライド移動が完了すると、第２係止爪９７は第２凹溝１０１に係合して元の状態に復元する。この際にも、クリック感やクリック音が生じるので、ユーザは装填蓋７６のスライド移動が完了したことを確認できる（図１５参照）。この際に、板バネ８３の蓋支持部９１には抜け止め爪１０３（図１１参照）が形成されている。また、装填蓋７６の内面７６ａには、抜け止め爪１０３がスライド自在に係合する抜け止め溝１０４（図１１参照）が形成されている。この抜け止め爪１０３は、装填蓋７６がロック解除位置にスライド移動されたときに、抜け止め溝１０４の一端部に当接する。これにより、装填蓋７６の抜けが防止される。
【００６９】
装填蓋７６がロック解除位置に移動されると、板バネ８３の弾性復元力により装填蓋７６が開き位置に回動される。これにより、バッテリ挿入口３４ａやカード挿入口３４ｂが開放される。
【００７０】
バッテリパック２８及びメモリカード２９が装着されたら、装填蓋７６をロック解除位置に回動させた後、ロック位置に向けてスライド移動させる。この際も、同様に装填蓋７６のスライド操作に抵抗感が与えられるので、この抵抗感に打ち勝つスライド操作を行う。これにより、第２係止爪９７と第２凹溝１０１との係合が解除されて、装填蓋７６がロック位置に向けて移動される。そして、装填蓋７６のロック位置へのスライド移動が完了すると、第２係止爪９７が第１凹溝１００に係合してクリック感やクリック音が生じる。これにより、装填蓋７６がロック位置にクリック係止される。
【００７１】
以上のように、収納ユニット７５においても装填蓋７６のクリック係止に板バネ８３を兼用して用いることができる。このため、上述の収納ユニット２７と同様に、部品数及び組立工数を増やすことなく、装填蓋３５をロック解除後に開き位置まで回動させることができる。
【００７２】
なお、上記実施形態では、デジタルカメラ１０の筐体１１に回動及びスライド自在に支持されている装填蓋３５（７６）を開き位置に回動させる場合を例に説明を行ったが本発明はこれに限定されるものでなく、各種筐体に開閉自在に支持されている蓋を回動させる場合にも本発明を適用することができる。具体的には、図１６及び図１７に示したような折畳式携帯電話機（以下、単に携帯電話機という）１０５の開閉にも本発明を適用できる。以下、折畳式携帯電話機１０５について具体的に説明を行う。
【００７３】
携帯電話機１０５は、本発明の筐体に相当する送話ユニット１０７と、本発明の蓋に相当する受話ユニット１０８とから構成される。送話ユニット１０７の内面１０７ａには、送話マイク１１０と操作部１１１とが設けられている。受話ユニット１０８の内面１０８ａには、液晶表示モニタ１１２と受話スピーカー１１３とが設けられている。そして、この携帯電話機１０５は、上述の収納ユニット２７とほぼ同じ構造のロック装置を構成するヒンジ軸１１５と、軸支持部材１１６と、係止爪１１７と、係止穴１１８と、トーションバネ１１９と、ロック用リブ１２０とを備えている。
【００７４】
ヒンジ軸１１５は、送話ユニット１０７と受話ユニット１０８とを折畳み自在に連結する。このヒンジ軸１１５は、その両端部が送話ユニット１０７と一体に形成された一対の軸支持部材１１６の長孔１１６ａに嵌合されている。この両軸支持部材１１６の長孔１１６ａは、送話ユニット１０７の長手方向に延びている。これにより、受話ユニット１０８は、送話ユニット１０７に回動及びスライド移動自在に支持される。
【００７５】
係止爪１１７は、受話ユニット１０８の内面１０８ａと上面１０８ｂとがなすコーナー部に設けられている。係止穴１１８は、送話ユニット１０７の内面１０７ａと底面１０７ｂ（図１７参照）とがなすコーナー部に設けられている。これら係止爪１１７及び係止穴１１８とは、受話ユニット１０８をスライド移動させることで係合及び係合解除させることができる。つまり、受話ユニット１０８は、係止爪１１７及び係止穴１１８の両者が係合するロック位置（図１７参照）と、両者の係合が解除されるロック解除位置との間でスライド移動可能である。
【００７６】
トーションバネ１１９は、ヒンジ軸１１５が挿通された一対のコイル部１２０と、第１アーム１２１及び第２アーム１２２からなるアーム部とから構成されている。第１アーム１２１は、送話ユニット１０７の内面１０７ａに圧着する当接部１２１ａを有している。第２アーム１２２は、受話ユニット１０８の内部に固定されている。このトーションバネ１１９は、受話ユニット１０８がロック位置及びロック解除位置にあるときは、両ユニット１０７，１０８の間で弾性変形する。そして、トーションバネ１１９は、受話ユニット１０８がロック解除位置にスライド移動されたときは、この受話ユニット１０８を開方向に付勢する。これにより、受話ユニット１０８が送話ユニット１０７の内面１０７ａを露呈させる開き位置（図１６参照）に保持される。
【００７７】
ロック用リブ１２０は、上述のロック用リブ４３と同じものであり、送話ユニット１０７の内面１０７ａに設けられている。このロック用リブ１２０は、受話ユニット１０８がロック位置及びロック解除位置にあるときに、トーションバネ１１９の第１アーム１２１の当接部１２１ａと係合する。これにより、受話ユニット１０８をロック位置及びロック解除位置にクリック係止することができる。
【００７８】
以上のように、携帯電話機１０５においてもトーションバネ１１９を受話ユニット１０８のクリック係止に兼用して用いることができる。このため、携帯電話機１０５の部品数及び組立工数を増やすことなく、受話ユニット１０８をロック解除後には開き位置まで回動させることができる。この際に、図示は省略するが、上述の検出スイッチ４４（図６及び図７参照）を送話ユニット１０７の内面１０７ａに設けて、受話ユニット１０８の開閉を検出するようにしてもよい。
【図面の簡単な説明】
【００７９】
【図１】デジタルカメラの正面斜視図である。
【図２】デジタルカメラの背面斜視図である。
【図３】収納ユニットの外観斜視図であり、装填蓋が開き位置にあるときの状態を示したものである。
【図４】収納ユニットの外観斜視図であり、装填蓋がロック位置にあるときの状態を示したものである。
【図５】トーションバネの外観斜視図である。
【図６】図４のＶＩ−ＶＩ線に沿う収納ユニットの断面図であり、装填蓋がロック位置にあるときの状態を示したものである。
【図７】図４の収納ユニットの断面図であり、装填蓋がロック解除位置にあるときの状態を示したものである。
【図８】ロック用リブの断面図である。
【図９】クリック感やクリック音が抑えられる他の実施形態のロック用リブの断面図である。
【図１０】小スペース内でもロック強度の調整が可能な他の実施形態のトーションバネの外観斜視図である。
【図１１】装填蓋が板バネを介して筐体に取り付けられている他の実施形態の収納ユニットの外観斜視図であり、装填蓋が開き位置にあるときの状態を示したものである。
【図１２】装填蓋が板バネを介して筐体に取り付けられている他の実施形態の収納ユニットの外観斜視図であり、装填蓋がロック位置にあるときの状態を示したものである。
【図１３】図１１の収納ユニットのＸＩＩＩ−ＸＩＩＩ線に沿う断面図である
【図１４】図１２のＸＩＶ−ＸＩＶ線に沿う収納ユニットの断面図であり、装填蓋がロック位置にあるときの状態を示したものである。
【図１５】図１２の収納ユニットの断面図であり、装填蓋がロック解除位置にあるときの状態を示したものである。
【図１６】折畳式携帯電話機の外観斜視図であり、受話ユニットが開き位置にあるときの状態を示したものである。
【図１７】折畳式携帯電話機の外観斜視図であり、受話ユニットがロック位置にあるときの状態を示したものである。
【符号の説明】
【００８０】
１０  デジタルカメラ
１１  筐体
２７  収納ユニット
２８  バッテリパック
２９  メモリカード
３２  挿入口形成面
３５  装填蓋
３８  蓋取付軸
３９  軸支持部材
４０  係止爪
４１  係止枠
４２  トーションバネ
４３  ロック用リブ
４４  検出スイッチ
【図１】
0004499026.tif 000002
【図２】
0004499026.tif 000003
【図３】
0004499026.tif 000004
【図４】
0004499026.tif 000005
【図５】
0004499026.tif 000006
【図６】
0004499026.tif 000007
【図７】
0004499026.tif 000008
【図８】
0004499026.tif 000009
【図９】
0004499026.tif 000010
【図１０】
0004499026.tif 000011
【図１１】
0004499026.tif 000012
【図１２】
0004499026.tif 000013
【図１３】
0004499026.tif 000014
【図１４】
0004499026.tif 000015
【図１５】
0004499026.tif 000016
【図１６】
0004499026.tif 000017
【図１７】
0004499026.tif 000018